(57)【要約】【課題】薄い紙片や厚みのあるカードでも容易に差し込みできるとともに、取り出しも容易な紙葉ホルダーを提供する。【解決手段】水平な設置部と前記設置部の両端に固定部を斜めに設けてなる基板の前記固定部に、コイルバネを円弧状に湾曲させて固着して構成することができる。前記固定部は板バネによって形成することが好ましい。また、複数並べた円盤状珠の両端側に押圧コイルバネを配設し、これらの円盤状珠及び押圧コイルバネに支持材を挿通し、前記支持材の両端部を基板の固定部に固着し、前記円盤状珠は押圧コイルバネによって密着保持するように構成してもよい。さらに、紙葉を挟持する頭部と弾性変形する脚部とからなる弾性ピンを基板上に複数立設して構成してもよし、基板の一方の面に複数の波状板バネを立設してなる構成としてもよい。【選択図】　　　図４
2004066731.tif 000002
【特許請求の範囲】
【請求項１】
基板と、コイルバネとからなり、前記基板は水平な設置部と前記設置部の両端に固定部を斜めに設けてなり、前記コイルバネを円弧状に湾曲させて前記固定部に固着したことを特徴とする紙葉ホルダー。
【請求項２】
固定部を板バネによって形成したことを特徴とする請求項１に記載の紙葉ホルダー。
【請求項３】
基板と円盤状珠と押圧コイルバネと前記円盤状珠と押圧コイルバネを挿通する支持材とからなり、前記基板は水平な設置部と前記設置部の両端に連設した固定部とからなり、複数並べた円盤状珠の両端側に押圧コイルバネを配設し、これらの円盤状珠及び押圧コイルバネに支持材を挿通し、前記支持材の両端部を前記固定部に固着し、前記円盤状珠は押圧コイルバネによって密着保持されていることを特徴とする紙葉ホルダー。
【請求項４】
支持材は円弧状に湾曲しており、前記支持材の両端部を水平な設置部に同じく水平に連設した固定部に固着したことを特徴とする請求項３に記載の紙葉ホルダー。
【請求項５】
支持材は円弧状に湾曲しており、前記支持材の両端部を水平な設置部に傾斜させて斜めに連設した固定部に固着したことを特徴とする請求項３に記載の紙葉ホルダー。
【請求項６】
支持材は直線状であって、前記支持材の両端部を水平な設置部にほぼ直角に立設した固定部に固着したことを特徴とする請求項３に記載の紙葉ホルダー。
【請求項７】
円盤状珠の側面は、水平な平滑面または側面全体が湾曲面に形成されていることを特徴とする請求項３〜６のいずれか１項に記載の紙葉ホルダー。
【請求項８】
基板と、紙葉を挟持する頭部と弾性変形する脚部とからなる弾性ピンとからなり、前記弾性ピンの脚部を前記基板上に複数立設したことを特徴とする紙葉ホルダー。
【請求項９】
弾性ピンをいずれかの方向において直線状に複数並列させるとともに、隣接する列の側端面同士が平面において一部重なるようにして並列させたことを特徴とする請求項８に記載の紙葉ホルダー。
【請求項１０】
弾性ピンを何れかの方向において直線状に複数並列させるとともに、頭部の大きさが異なる複数種類の弾性ピンを立設したことを特徴とする請求項８に記載の紙葉ホルダー。
【請求項１１】
弾性ピンを何れかの方向において直線状に複数並列させるとともに、脚部の高さが異なる複数種類の弾性ピンを立設したことを特徴とする請求項８に記載の紙葉ホルダー。
【請求項１２】
脚部の全部または一部が弾性変形することを特徴とする請求項８〜１１の何れか１項に記載の紙葉ホルダー。
【請求項１３】
基板の一方の面に複数の波状板バネを立設したことを特徴とする紙葉ホルダー。
【請求項１４】
波状板バネを一方向に複数並列するとともに、隣接する浪板状バネ同士間では、平面において互いにずれるように配列したことを特徴とする請求項１３に記載の紙葉ホルダー。
【請求項１５】
波状板バネを平面において互いにずれることなく縦方向横方向とも直線状に配列したことを特徴とする請求項１３に記載の紙葉ホルダー。
【請求項１６】
コイルバネの一端を基板に固着し、他端を固定しないでフリーな状態としたことを特徴とする紙葉ホルダー。
【請求項１７】
円盤状珠を基板の上に複数個積み重ね、円盤状珠のほぼ中心に設けた透孔に下端部を基板に固定した引っ張りバネを挿通し、引っ張りバネの先端に設けた押え板によって、前記円盤状珠を基板上に一体に密着保持するようにしたことを特徴とする紙葉ホルダー。
【請求項１８】
紙葉を挟持する頭部と弾性変形する脚部とからなる弾性ピンとを基板に立設し、前記基板の一端面に前記弾性ピントほぼ並行に設置板を設けてなることを特徴とする紙葉ホルダー。
【請求項１９】
基板の一方の面に複数の波状板バネを立設し、前記基板の一端面に前記波状板バネとほぼ並行に設置板を設けてなることを特徴とする紙葉ホルダー。
【発明の詳細な説明】
【０００１】
【発明の属する技術分野】
この発明は、紙葉ホルダーに係り、より詳しくは、メモ、カード、領収書等の紙葉を弾性変形する力によって挟持するようにした紙葉ホルダーに関する。
【０００２】
【従来の技術】
従来、メモ、カード、領収書等の紙葉をコイルバネのバネ線間に差し込んでバネの挟持力により保持するようにしたホルダーは複数提案されている。これらのホルダーは、隣接する線を互いに密着するように巻き付けて両端を固定し、バネ線間に挟持させるようにしたものである。
【０００３】
これらのホルダーに、例えば、実開平４−７９６８１号記載のメモホルダーがある。これは、線材を螺旋状に巻いたコイルと、前記コイルを保持するスタンドと、コイルの一方の端部とスタンドの壁面との間に設けた弾性体とからなる。コイルのバネ線間に紙葉を挟持すると弾性体側に延び、弾性体が逃がし代をけいせいする。
【０００４】
【発明が解決しようとする課題】
上記構成のようなコイルバネによるホルダーでは、薄い紙片などは容易に差し込むことができるが、厚みのあるカード等はバネ線間が密着しているために、差し込み難かった。また、複数の紙葉を差し込んだときには、隣接する紙葉との間に隙間がないために取り出し難いという問題があった。
【０００５】
従って、この発明の目的は、薄い紙片や厚みのあるカードでも容易に差し込みできるとともに、取り出しも容易な紙葉ホルダーを提供することである。
【０００６】
【課題を解決するための手段】
上記目的を達成するために、この発明に係る紙葉ホルダーは、基板と、コイルバネとからなり、前記基板は水平な設置部と前記設置部の両端に固定部を斜めに設けてなり、前記コイルバネを円弧状に湾曲させて前記固定部に固着したことを特徴とする。前記固定部の材質は特に限定されるものではないが、固定部は板バネによって形成することが好ましい。固定部を板バネとした場合には、板バネの弾性変形によってコイルバネの伸長時の逃がし代を形成することができる。
【０００７】
また、この発明に係る紙葉ホルダーは、基板と円盤状珠と押圧コイルバネと前記円盤状珠と押圧コイルバネを挿通する支持材とからなり、基板は水平な設置部と前記設置部の両端に固定部を設けてなり、複数並べた円盤状珠の両端側に押圧コイルバネを配設し、これらの円盤状珠及び押圧コイルバネに支持材を挿通し、前記支持材の両端部を固定部に固着し、前記円盤状珠は押圧コイルバネによって密着保持するようにした。
前記支持材は円弧状に湾曲していてもよいし、直線状に形成したものであってもよい。また、前記支持材を固着する固定部は、水平な設置部に同じく水平に連設した固定部であってもよいし、水平な設置部に傾斜させて斜めに連設した固定部であってもよいし、また、水平な設置部にほぼ直角に立設した固定部であってもよい。前記支持材と固定部の形状は適宜選択して組み合わせることができる。前記円盤状珠の側面は、水平な平滑面または側面全体が湾曲面に形成されていてもよい。
【０００８】
さらに、この発明に係る紙葉ホルダーは、紙葉を挟持する頭部と弾性変形する脚部とからなる弾性ピンと基板とからなり、前記弾性ピンの脚部を基板上に複数立設したことを特徴とする。弾性ピンを何れかの方向において直線状に複数並列させるとともに、隣接する列同士の頭部は、列の側端面から内側にずらして並列させることが好ましい。また、弾性ピンは、頭部の大きさを複数種類に形成した弾性ピンを用いることができる。また、弾性ピンを何れかの方向において直線状に複数並列させるとともに、脚部の高さが異なる複数種類の弾性ピンを立設してもよい。弾性ピンは、脚部の全部または一部が弾性変形するように形成してもよい。
また、この発明に係る紙葉ホルダーは、基板の一方の面に複数の波状板バネを並列することを特徴とする。前記波状板バネは、一方向に複数列並列するとともに、隣接する浪板状バネ同士間では、平面において互いにずれるように配列してもよいし、平面において互いにずれることなく縦方向横方向とも直線状に配列してもよい。
【０００９】
さらに、コイルバネは、一端側を基板上に垂直に固着し、他端を固定せずフリーな状体としてもよい。また、円盤状珠を基板の上に複数個積み重ね、円盤状珠のほぼ中心部に設けた透孔に下端部を基板に固定した引っ張りバネを挿通し、引っ張りバネの先端に設けた押え板によって前記円盤状珠を基板上に一体に密着保持するようにしてもよい。また、弾性ピンまたは波状板バネを立設した基板の一端面に前記弾性ピンまたは波状板バネとほぼ並行に設置板を設けてなる構成とすることができるようにしてもよい。
【００１０】
【発明の実施の形態】
以下、この発明を添付図面に基づいて詳細に説明する。
図１は、この発明の第１実施形態のホルダーを示す正面図、図２は、側面図である。ホルダー１は、基板１４と、コイルバネ１１とからなる。基板１４は、設置部１２の両端部に斜めに固定部１３を一体に連設してなり、プラスチック板、木板、金属板等で形成することができる。
【００１１】
コイルバネ１１は、線材をコイル状に互いに密着するように巻き付けたバネ作用を有するコイルバネであって、コイルバネ１１の両端は前記固定部１３、１３間に円弧状に湾曲するように固着されている。線材の太さ、コイルの外径、あるいはコイルの長さ等は特に限定されるものではないが、例えば、コイル外径は０．５〜３ｃｍ、コイル長さは３〜１５ｃｍとすることができる。
【００１２】
コイルバネ１１を湾曲させて取り付けることによって、バネ線は内側では密着しているが、外側では僅かに隙間が形成される。従って、紙葉を容易に差し込むことができるばかりでなく、差し込んだ紙葉は内側の密着によって確実に挟持される。また、差し込む枚数が増えたり、厚みのあるカードを差し込むと、コイルバネ１１は両端部が固定されているので、円弧状が大きくなるように膨らむことによって保持するようになる。
【００１３】
設置部１２の下面には、剥離紙を設けた接着面、吸盤または磁石を配設することによって任意の面に取り付けられるようにすることが好ましい。
【００１４】
図３は、この発明の第２実施形態を示す。この実施形態のホルダー２は、固定部１３ａを板バネによって形成した点において第１実施形態と異なっている。即ち、板バネを凹状に折り曲げて、中央部を押え板１５，１５によって挟持した設置部１２ａとなし、両端部をバネ作用を有する固定部１３ａとしたものである。その他の構成は図１に示す第１実施形態と同様であるから、同一符号を付してその説明は省略する。なお、両端部の固定部１３ａの部分だけバネ作用を有する板バネにより形成してもよい。
【００１５】
この第２実施形態では、コイルバネ１１に紙葉等を差し込むとコイルバネ１１の両端は固定部１３ａのバネに抗して拡がり、コイルバネ１１は同じ状態で保持される。固定部１３ａのバネ作用は、コイルバネ１１が拡がったときの逃がし代を形成するばかりでなく、両端部からコイルバネ１１を挟み込むことによって、コイルバネ１１の挟持力を増大させるように働く。
【００１６】
図４〜図６は、上記実施形態のように、紙葉をバネ線間に挟持させるのではなく、軸に通した円盤状珠間に挟み、両端部に配設した押圧コイルバネによって挟持するようにしたものである。図４に示す第３実施形態のホルダー３は、密着した複数の円盤状珠２０、２０の両端側に押圧コイルバネ２１，２１を配設し、これらの円盤状珠２０、２０及び押圧コイルバネ２１，２１に円弧状に湾曲した断面丸棒状の支持材２２を挿通し、前記支持材２２の両端部を基板２３の固定部に固着することによって形成されている。
【００１７】
前記円盤状珠２０は、図５に示すように、略中心部に支持材２２を挿通する透孔２０ａが穿設されており、周縁部は面取をして断面アール面とされている。また、円盤状珠２０の側面は、水平な平滑面（図５（ａ）参照）であっても、碁石のように側面全体が湾曲面（図５（ｂ）参照）であってもよい。
【００１８】
前記押圧コイルバネ２１、２１は、バネ線間が開いており、円盤状珠２０、２０を挟持するように押圧している。従って、円盤状珠２０、２０の間に紙葉を差し込むと押圧コイルバネ２１、２１の押圧力によって確実に挟持される。差し込む紙葉が増えると、押圧コイルバネ２１、２１は、僅かに縮小することによって逃がし代を形成することになる。
【００１９】
尚、図４に示す実施形態では、前記基板２３は、設置部２３ａと支持材２２を固定する固定部２３ｂとは直線状に形成されているが、図１及び図３に示す実施形態のように、固定部２３ｂを斜めに形成してもよい。
【００２０】
図６に示す第４実施形態のホルダー４は、支持材２２ａを直線状とした点において第３実施形態と異なる。従って、他の構成については同一符号を付してその説明は省略する。支持材２２ａは、基板２３ａの端部に一体に立設した固定部２５に固着されている。図示する実施形態では、支持材２２ａは、基板２３ａとほぼ並行に設けられているが、傾斜させてもよい。
【００２１】
また、上記図４及び図６に示す実施形態では、丸棒状の支持材を挿通する構成としたために、円盤状珠が回転しても均一に挟持できるように、円盤状珠の略中心部に透孔２０ａを設けたが、支持材の断面形状を多角形とし、円盤状透孔も前記支持材の形状に合わせた多角形透孔としてもよい。
【００２２】
このように、円盤状透孔及び支持材を多角とすれば、円盤状珠の回転が防止されるから、円盤状透孔を中心部からずらして設けることにより、紙葉の挟持面を大きく形成することができる。従って、紙葉との摩擦面が大きくなり、厚みのあるカード等でも確実に保持される。
【００２３】
図７以下は、さらにこの発明の他の実施形態を示す。図７〜図１０は、複数立設した弾性ピンによって差し込まれた紙葉を挟持するようにしたものである。即ち、図７に示す第５実施形態のホルダー５は、基板３０の一方の面に頭部３１と弾性変形する脚部３２とからなる弾性ピン３３、３３を立設することによって形成されている。
【００２４】
前記弾性ピン３３、３３は、頭部３１が密着して基板３０の短手方向に直線状に並列されているが、隣接する列同士では互いの頭部３１の側面が、列方向において僅かに重なり合うようにずらして立設することが好ましい。図示する実施形態では、２分の１ピッチずらしたが、これに限定されるものではなく、任意の寸法だけずらせばよい。このように、隣接する列同士で互いに頭部３１の位置をずらすことによってより強い挟持力が生じる。紙葉は、縦、横あるいは斜め方向の列の頭部３１間に差し込めばよい。
【００２５】
前記弾性ピン３３の頭部３１は、図９に示すように、上面が半球状をなす円筒体であってもよく（図９（ａ）、（ｃ）参照）、全体が球状体であってもよい（図９（ｂ）参照）。また、前記弾性ピン３３の脚部３２は、図９（ａ）に示すように、脚部全体が弾性変形するコイルバネによって形成してもよく、また、図９（ｂ）、（ｃ）に示すように、脚部の一部が弾性変形するコイルバネを用いてもよい。
【００２６】
前記脚部３２を形成する弾性体は、図示する実施形態ではコイルバネとしたが、これに限らずバネ作用を有するものであればよく、ゴム、プラスチック、板バネ等によって形成してもよい。また、前記弾性ピン３３の頭部３１は、同じ大きさ同じ形状のものを並列させる必要はなく、図１０に示すように、大小組み合わせることができ、脚部３２の高さも隣接する同士で互いに異なるように組み合わせてもよい。
【００２７】
図１１以下は、この発明の他の実施形態を示す。即ち、図１１に示す第６実施形態のホルダー６は、基板４０の一方の面に波状の板バネ４１を立設したものである。板バネ４１は、波形に形成した細長の板状体であって、基板４０の長手方向の側面に沿って一定の間隔で直列に立設されているが、隣接する列同士では互いに約２分の１ピッチだけずらして立設されている。
【００２８】
従って、基板４０の短手方向においては、板バネ４１が一つおきに互い違いにずれることになるので、紙葉を差し込むことができ、差し込んだ紙葉をバネ作用によって確実に挟持させることができる。尚、板バネ４１の並列の方法は上記実施形態に限定されるものではなく、基板４０の何れか一方の側面に沿って直列させればよい。また、板バネ４１の波形の大きさによって隣接する列同士のずらす位置を変更したり、あるいはずらすことなく縦方向、横方向とも直線状に立設することも可能である。
【００２９】
尚、上記実施形態では、基板はいずれも平面長方形状に形成したが、正方形、円形等任意の形状とすることができる。また、実施形態１〜４においては、コイルバネ等の構成は１列（１つ）のみとしたが、複数列（２つ以上）設ける構成としてもよい。コイルバネ等を複数列設けた場合には、一層挟持力を増大させることができる。また、図１に示す実施形態に限らず、設置部の下面には、剥離紙を設けた接着面、吸盤または磁石を配設することによって任意の面に取り付けられるようにすることができる。
【００３０】
上記実施形態では、設置部を水平においた場合には、挟持する紙葉は垂直な状態になるが、図１３以下は、水平に設置しても紙葉を水平な状態で挟持する紙葉ホルダーの実施形態を示す。図１４及び図１５は、コイルバネを基板に対して垂直方向に設けたものである。即ち、第７実施形態のホルダー７は、プラスチック板、木板、金属板等で形成する基板５０の上面に、線材をコイル状に互いに密着するように巻き付けたコイルバネ５１を固着したものであり、前記コイルバネ５１の上面は固定することなくフリーな状態になっている。
【００３１】
上記実施形態のホルダー７は、コイル間に紙葉を差し込むと紙葉は水平な状態で挟持される。また、コイルバネ５１は上端がフリーな状態となっているから、差し込む枚数が増えたり、厚みのあるカードを差し込んでも、差込が容易であるとともに、確実に挟持される。また、図示する実施形態のように、コイルバネを円錐台形状に形成した場合には、一層差込が容易になる。なお、コイルバネ５１の平面形状は円形に限らず、三角形、四角形等任意の形状とすることができる。また、上面と下面は同じ大きさであってもよい。
【００３２】
図１６は、この発明の第８実施形態を示す。この実施形態は、図４〜図６に示す円盤状珠を垂直に積み重ねてなるホルダーであって、ホルダー８は、円盤状珠２０、２０を基板５３の上に複数個積み重ね、円盤状珠２０の中心の透孔２０ａに押え板５５を先端部に取り付けた引っ張りバネ５７を設けてなる。即ち、前記円盤状珠２０は、押え板５５が円盤状珠の上面に係止して引っ張りバネ５７によって一体に密着保持されている。
【００３３】
前記ホルダー８も、ホルダー７と同様に、各円盤状珠２０、２０の間に紙葉を挟持させることができる。なお、この実施形態においても、図示するように、大きさの異なる円盤状珠を円錐台形状に積み重ねてもよいが、単に同じ大きさの円盤状珠を積み重ねるようにしてもよい。
【００３４】
図１７に示すこの発明の第９実施形態は、図７〜図１０の弾性ピンを横向きとした場合である。即ち、ホルダー９は、基板３０の一方の面に頭部３１と弾性変形する脚部３２とからなる弾性ピン３３、３３を設けるとともに、前記基板の一端面に設置板６０を前記弾性ピン３３、３３とほぼ並行に設けたものである。
【００３５】
このように、基板３０に設置板６０を固着し、弾性ピン３３、３３を横向きとすることによって、紙葉を水平な状態で挟持させることができる。また、設置板６０を垂直な壁面等に取り付けた場合には、挟持する紙葉等は壁面と平行に保持されるから、紙葉等が壁面に対して直交して挟持される場合に比して前方への突出が小さく押さえることができる。
なお、弾性ピン３３の構成及び配列方法等については、図７〜図１０に示す弾性ピンを適用することができるから、その説明については省略する。
【００３６】
図１８は、この発明の第１０実施形態をします。ホルダー９は、ホルダー５を横向きとした場合の構成であるのに対して、第１０実施形態のホルダー１０は、ホルダー６を横向きとした場合の構成を示す。即ち、ホルダー１０は、基板４０の一方の面に板バネ４１、４１を設けるとともに、前記基板４０の一端面に設置板６３を前記板バネ４１、４１とほぼ並行に設けたものである。
【００３７】
ホルダー１０も、ホルダー９と同様に、設置板６３を水平にした場合には、紙葉を水平な状態で挟持するとともに、設置板６０を垂直にした場合には、取り付けた壁面等と平行に保持される。
【００３８】
なお、図１４〜図１８に示す実施形態においても、設置板の下面には、剥離紙を設けた接着面、吸盤または磁石を配設することによって任意の面に取り付けられるようにすることができる。また、その他の構成についても上記実施形態の構成を適宜適用しあるいは組み合わせることができるものである。
【００３９】
【発明の効果】
上記説明から明らかなように、請求項１及び２のコイルバネを使用した場合には、円弧状に湾曲させて取り付けられるので、紙葉の差込が容易になる。また、コイルバネの両端部を板バネで形成した固定部に固着した場合には、板バネの弾性変形によってコイルバネが紙葉を差し込むことによって伸長しても、逃がし代を形成することができる。
【００４０】
また、請求項３〜７に示す円盤状珠とコイルバネを用いてなる紙葉ホルダーでは、厚みのあるカード等であっても容易に差し込むことができるとともに、確実に保持することができる。円盤状珠の側面を平面に形成することによって一層挟持力を向上させることができる。さらに、円盤状珠とコイルバネを挿通する支持材を断面多角形、楕円形等の非円形に形成することによって、円盤状珠の透孔を中心部からずらして円盤状珠の挟持面を大きくすることができる。
【００４１】
また、請求項８〜１２に示す紙葉を挟持する頭部と弾性変形する脚部とからなる弾性ピンを基板に立設した紙葉ホルダーでは、いずれの部分にも紙葉を挟むことができるとともに、基板を重い金属で形成することにより、文鎮やペーパーウエイトとしても使用することができる。
また、請求項１３以下に示す板バネを立設した紙葉ホルダーでは、厚みのあるカードなどの保持に有利である。また、基板を重い金属で形成することにより、文鎮やペーパーウエイトとしても使用することができる。
【図面の簡単な説明】
【図１】この発明の第１実施形態の正面図である。
【図２】同じく側面図である。
【図３】この発明の第２実施形態の正面図である。
【図４】この発明の第３実施形態の正面図である。
【図５】円盤状珠の拡大断面図である。
【図６】この発明の第４実施形態の正面図である。
【図７】この発明の第５実施形態の一部を省略した平面図である。
【図８】同じく一部を者略した正面図である。
【図９】弾性ピンを示す拡大正面図である。
【図１０】弾性ピンの大きさ及び脚部の高さを変更した例を示す正面図である。
【図１１】この発明の第６実施形態の一部を省略した平面図である。
【図１２】同じく一部を省略した正面図である。
【図１３】図１２の実施形態における板バネの拡大斜視図である。
【図１４】この発明の第７実施形態の正面図である。
【図１５】同じくこの発明の第７実施形態の斜視図である。
【図１６】この発明の第８実施形態の一部を断面した正面図である。
【図１７】この発明の第９実施形態の正面図である。
【図１８】この発明の第１０実施形態の正面図である。
【符号の説明】
１：第１実施形態のホルダー
２：第２実施形態のホルダー
３：第３実施形態のホルダー
４：第４実施形態のホルダー
５：第５実施形態のホルダー
６：第６実施形態のホルダー
７：第７実施形態のホルダー
８：第８実施形態のホルダー
９：第９実施形態のホルダー
１０：第１０実施形態のホルダー
１４：基板
１１：コイルバネ
１２：設置部
１３：固定部
２０：円盤状珠
２１：押圧コイルバネ
２２：支持材
２２ａ：支持材
２３：基板
３０：基板
３１：頭部
３２：脚部
３３：弾性ピン
４０：基板
４１：板バネ
５０：基板
５１：コイルバネ
５５：押え板
５７：引っ張りバネ
【図１】
2004066731.tif 000003
【図２】
2004066731.tif 000004
【図３】
2004066731.tif 000005
【図４】
2004066731.tif 000006
【図５】
2004066731.tif 000007
【図６】
2004066731.tif 000008
【図７】
2004066731.tif 000009
【図８】
2004066731.tif 000010
【図９】
2004066731.tif 000011
【図１０】
2004066731.tif 000012
【図１１】
2004066731.tif 000013
【図１２】
2004066731.tif 000014
【図１３】
2004066731.tif 000015
【図１４】
2004066731.tif 000016
【図１５】
2004066731.tif 000017
【図１６】
2004066731.tif 000018
【図１７】
2004066731.tif 000019
【図１８】
2004066731.tif 000020